(57)【要約】      （修正有）【課題】ぜんまいの巻き解き操作の作業性を改善できる時計を提供する。【解決手段】時計は、回転錘の回転軸の軸方向に垂直な方向から見た側面視において回転錘と地板との間に配置される押さえ板と、側面視において回転錘と押さえ板との間に配置され、回転錘に連動して伝え車５５に近づく方向および遠ざかる方向に進退運動して、伝え車５５を一方向に回転させる爪レバー５４と、押さえ板に設けられ、爪レバー５４と伝え車５５とが係合する係合状態と、爪レバー５４と伝え車５５とが係合しない解除状態とを切り替え可能な解除機構と、側面視において爪レバー５４と回転錘との間に設けられ、回転軸の軸方向に平行な方向から見た平面視において解除機構と重なる位置に設けられた第１開口を有する輪列受と、を備える。【選択図】図９
2020139766.tif 000002
【特許請求の範囲】
【請求項１】
地板と、
香箱真とぜんまいとを有する香箱と、
前記香箱真と一体で回転し、前記ぜんまいを巻き上げる角穴車と、
回転軸を中心に回転する回転錘と、
前記角穴車を回転させる伝え車と、
前記回転軸の軸方向に垂直な方向から見た側面視において前記回転錘と前記地板との間に配置される押さえ板と、
前記側面視において前記回転錘と前記押さえ板との間に配置され、前記回転錘に連動して前記伝え車に近づく方向および遠ざかる方向に進退運動して、前記伝え車を一方向に回転させる爪レバーと、
前記押さえ板に設けられ、前記爪レバーと前記伝え車とが係合する係合状態と、前記爪レバーと前記伝え車とが係合しない解除状態とを切り替え可能な解除機構と、
前記側面視において前記爪レバーと前記回転錘との間に設けられ、前記回転軸の軸方向に平行な方向から見た平面視において前記解除機構と重なる位置に設けられた第１開口を有する輪列受と、を備える
ことを特徴とする時計。
【請求項２】
請求項１に記載の時計において、
前記爪レバーおよび前記伝え車は、前記地板および前記輪列受に軸支されている
ことを特徴とする時計。
【請求項３】
請求項１または請求項２に記載の時計において、
前記爪レバーは、前記平面視において前記伝え車を挟んで配置される２つの爪レバー部を備え、
前記解除機構は、前記爪レバー部のいずれか一方と前記伝え車との間に配置され、前記一方の前記爪レバー部と前記伝え車とを前記係合状態に切り替える係合位置と、前記一方の前記爪レバー部と前記伝え車とを前記解除状態に切り替える解除位置とに回動可能な偏心ピンであり、
前記輪列受には、前記平面視で、一部が他方の前記爪レバー部と重なり、残りの部分が前記他方の前記爪レバー部と前記伝え車との間の空間に重なる第２開口が設けられている
ことを特徴とする時計。
【請求項４】
請求項１または請求項２に記載の時計において、
前記爪レバーは、前記平面視において前記伝え車を挟んで配置される２つの爪レバー部を備え、
前記解除機構は、一方の前記爪レバー部と他方の前記爪レバー部との間に配置され、前記一方の前記爪レバー部および前記他方の前記爪レバー部と前記伝え車とを前記係合状態に切り替える係合位置と、前記一方の前記爪レバー部および前記他方の前記爪レバー部と前記伝え車とを前記解除状態に切り替える解除位置とに回動可能な偏心ピンである
ことを特徴とする時計。
【請求項５】
請求項１から請求項４のいずれか一項に記載の時計において、
前記輪列受には、前記解除機構による切り替え状態を示す切替表示部が設けられている
ことを特徴とする時計。
【請求項６】
地板と、
香箱真とぜんまいとを有する香箱と、
前記香箱真と一体で回転し、前記ぜんまいを巻き上げる角穴車と、
回転軸を中心に回転する回転錘と、
前記角穴車を回転させる伝え車と、
前記回転軸の軸方向に垂直な方向から見た側面視において前記回転錘と前記地板との間に配置され、前記回転錘に連動して前記伝え車に近づく方向および遠ざかる方向に進退運動して、前記伝え車を一方向に回転させる爪レバーと、
前記側面視において、前記爪レバーと前記回転錘との間に設けられる輪列受と、
前記輪列受に設けられ、前記爪レバーと前記伝え車とが係合する係合状態と、前記爪レバーと前記伝え車とが係合しない解除状態とを切り替え可能な解除機構と、を備える
ことを特徴とする時計。
【発明の詳細な説明】
【技術分野】
【０００１】
本発明は、時計に関する。
【背景技術】
【０００２】
特許文献１には、ぜんまいの自動巻上機構を有する機械式時計において、爪レバーと伝え車との係合を解除する解除部としての貫通孔が輪列受に２つ設けられることが開示されている。特許文献１では、当該貫通孔にピン等を挿入することで、爪レバーと伝え車との係合状態を解除できるので、輪列受を取り外さなくても、ぜんまいを巻き解くことができる。
【先行技術文献】
【特許文献】
【０００３】
【特許文献１】特開２０１８−９６８１３号公報
【発明の概要】
【発明が解決しようとする課題】
【０００４】
しかし、特許文献１では、２つの貫通孔にピン等を挿入して、爪レバーと伝え車との係合を解除している状態で、ぜんまいを巻き解く操作を行う必要がある。すなわち、一方の貫通孔にピン等を挿入して、爪レバーの一方の側の係合を解除する操作と、他方の貫通孔にピン等を挿入して、爪レバーの他方の側の係合を解除する操作と、ぜんまいを巻き解く操作との３つの操作を同時に行う必要があるので、作業性が悪いといった問題があった。
【課題を解決するための手段】
【０００５】
本開示の時計は、地板と、香箱真とぜんまいとを有する香箱と、前記香箱真と一体で回転し、前記ぜんまいを巻き上げる角穴車と、回転軸を中心に回転する回転錘と、前記角穴車を回転させる伝え車と、前記回転軸の軸方向に垂直な方向から見た側面視において前記回転錘と前記地板との間に配置される押さえ板と、前記側面視において前記回転錘と前記押さえ板との間に配置され、前記回転錘に連動して前記伝え車に近づく方向および遠ざかる方向に進退運動して、前記伝え車を一方向に回転させる爪レバーと、前記押さえ板に設けられ、前記爪レバーと前記伝え車とが係合する係合状態と、前記爪レバーと前記伝え車とが係合しない解除状態とを切り替え可能な解除機構と、前記側面視において前記爪レバーと前記回転錘との間に設けられ、前記回転軸の軸方向に平行な方向から見た平面視において前記解除機構と重なる位置に設けられた第１開口を有する輪列受と、を備える。
【０００６】
本開示の時計において、前記爪レバーおよび前記伝え車は、前記地板および前記輪列受に軸支されていてもよい。
【０００７】
本開示の時計において、前記爪レバーは、前記平面視において前記伝え車を挟んで配置される２つの爪レバー部を備え、前記解除機構は、前記爪レバー部のいずれか一方と前記伝え車との間に配置され、前記一方の前記爪レバー部と前記伝え車とを前記係合状態に切り替える係合位置と、前記一方の前記爪レバー部と前記伝え車とを前記解除状態に切り替える解除位置とに回動可能な偏心ピンであり、前記輪列受には、前記平面視で、一部が他方の前記爪レバー部と重なり、残りの部分が前記他方の前記爪レバー部と前記伝え車との間の空間に重なる第２開口が設けられていてもよい。
【０００８】
本開示の時計において、前記爪レバーは、前記平面視において前記伝え車を挟んで配置される２つの爪レバー部を備え、前記解除機構は、一方の前記爪レバー部と他方の前記爪レバー部との間に配置され、前記一方の前記爪レバー部および前記他方の前記爪レバー部と前記伝え車とを前記係合状態に切り替える係合位置と、前記一方の前記爪レバー部および前記他方の前記爪レバー部と前記伝え車とを前記解除状態に切り替える解除位置とに回動可能な偏心ピンであってもよい。
【０００９】
本開示の時計において、前記輪列受には、前記解除機構による切り替え状態を示す切替表示部が設けられていてもよい。
【００１０】
本開示の時計は、地板と、香箱真とぜんまいとを有する香箱と、前記香箱真と一体で回転し、前記ぜんまいを巻き上げる角穴車と、回転軸を中心に回転する回転錘と、前記角穴車を回転させる伝え車と、前記回転軸の軸方向に垂直な方向から見た側面視において前記回転錘と前記地板との間に配置され、前記回転錘に連動して前記伝え車に近づく方向および遠ざかる方向に進退運動して、前記伝え車を一方向に回転させる爪レバーと、前記側面視において、前記爪レバーと前記回転錘との間に設けられる輪列受と、前記輪列受に設けられ、前記爪レバーと前記伝え車とが係合する係合状態と、前記爪レバーと前記伝え車とが係合しない解除状態とを切り替え可能な解除機構と、を備える。
【図面の簡単な説明】
【００１１】
【図１】第１実施形態の時計を示す正面図。
【図２】第１実施形態のムーブメントの要部を示す平面図。
【図３】第１実施形態のムーブメントの要部を示す平面図。
【図４】第１実施形態のムーブメントの要部を示す平面図。
【図５】第１実施形態のムーブメントの要部を示す断面図。
【図６】第１実施形態のムーブメントの要部を示す断面図。
【図７】第１実施形態のムーブメントの要部を示す斜視図。
【図８】第１実施形態のムーブメントの要部を示す斜視図。
【図９】第１実施形態の爪レバーの要部を示す平面図。
【図１０】第１実施形態の偏心ピンの要部を示す断面図。
【図１１】第２実施形態の爪レバーの要部を示す平面図。
【図１２】第３実施形態の偏心ピンの要部を示す断面図。
【発明を実施するための形態】
【００１２】
［第１実施形態］
以下、第１実施形態に係る時計１を図１〜図１０に基づいて説明する。
図１は、時計１を示す正面図である。時計１は、ユーザーの手首に装着される腕時計であり、円筒状の外装ケース２を備え、外装ケース２の内周側に、文字板３が配置されている。以下、時計１を手首に装着した際に手首に接触する側を時計１の裏面側、裏側の反対側を時計１の表面側として説明する。外装ケース２の２つの開口のうち、表面側の開口は、カバーガラスで塞がれており、裏面側の開口は裏蓋で塞がれている。
【００１３】
時計１は、外装ケース２内に収容された図２〜図４に示すムーブメント１０と、図１に示す時刻情報を表示する時針４Ａ、分針４Ｂ、秒針４Ｃと、持続時間を指示するパワーリザーブ針５とを備えている。文字板３には、カレンダー小窓３Ａが設けられており、カレンダー小窓３Ａから、日車６が視認可能となっている。また、文字板３には、時刻を指示するためのアワーマーク３Ｂと、パワーリザーブ針５で持続時間を指示する扇形のサブダイヤル３Ｃとが設けられている。
【００１４】
外装ケース２の側面には、りゅうず７が設けられている。りゅうず７は、時計１の中心に向かって押し込まれた０段位置から１段位置および２段位置に引き出されて移動することができる。
りゅうず７を０段位置で回転すると、後述するように、ムーブメント１０に設けた第１ぜんまい２０および第２ぜんまい３０を巻き上げることができる。第１ぜんまい２０および第２ぜんまい３０の巻き上げに連動して、パワーリザーブ針５が移動する。本実施形態の時計１は、第１ぜんまい２０および第２ぜんまい３０の２つのぜんまいを備えているので、ぜんまいが１つである時計よりも持続時間を延ばすことができる。
りゅうず７を１段位置に引いて回転すると、日車６を移動して日付を合わせることができる。りゅうず７を２段位置に引くと秒針４Ｃが停止し、２段位置でりゅうず７を回転すると、時針４Ａ、分針４Ｂが移動して時刻を合わせることができる。りゅうず７による日車６や時針４Ａ、分針４Ｂの修正方法は、従来の機械時計と同様であるため説明を省略する。
【００１５】
［ムーブメント］
次に、ムーブメント１０について図２〜図８を参照して説明する。なお、図２は、ムーブメント１０の要部を裏蓋側から見た平面図であり、図３は図２において回転錘５１を削除した平面図であり、図４は図３において輪列受１４を削除した平面図である。図５は、第２香箱３１の周辺の断面図であり、図６は、第１香箱２１とベアリング５２の周辺の断面図である。図７、図８は、ムーブメント１０の要部を示す斜視図である。
なお、本実施形態では、時計１の裏蓋側において、後述する回転軸５２１の軸方向に平行な方向から見た場合を平面視として説明し、回転軸５２１の軸方向に垂直な方向から見た場合を側面視として説明する。また、図５、図６における図面上側は裏蓋側であり、図面下側は文字板３側である。
ムーブメント１０は、図４、図５に示すように、第１ぜんまい２０が収納される第１香箱２１および第２ぜんまい３０が収納される第２香箱３１を備える。時針４Ａ、分針４Ｂ、秒針４Ｃおよびパワーリザーブ針５は、ムーブメント１０の指針軸に取り付けられ、ムーブメント１０の第１ぜんまい２０および第２ぜんまい３０によって駆動される。
【００１６】
ムーブメント１０は、図３〜図６に示すように、地板１１、一番受１２、二番受１３、輪列受１４を備えている。一番受１２は、側面視において、地板１１と後述する回転錘５１との間に配置され、第２香箱３１を押さえる機能を有する。なお、一番受１２は、本開示の押さえ板の一例である。輪列受１４は、輪列全体を押さえる機能を有する。
地板１１と輪列受１４との間には、第１ぜんまい２０が収納された第１香箱２１と、第２ぜんまい３０が収納された第２香箱３１と、第１ぜんまい２０および第２ぜんまい３０を巻き上げる手動巻上機構４０および自動巻上機構５０とが配置されている。また、地板１１と輪列受１４との間には、第１ぜんまい２０および第２ぜんまい３０の持続時間を示すパワーリザーブ表示機構と、第１ぜんまい２０および第２ぜんまい３０のトルクを伝達する輪列９０と、輪列９０を介して伝達されるトルクで駆動される発電機８０とが配置されている。
【００１７】
図３に示すように、輪列受１４には、平面視において後述する偏心ピン１００と重なる位置に第１開口１４１が設けられる。また、輪列受１４には、平面視で、一部が後述する引き爪レバー部５４２の突出部５４２４と重なり、残りの部分が当該突出部５４２４と後述する伝え車５５との間の空間に重なる第２開口１４２が設けられる。
さらに、輪列受１４には、第１開口１４１の周囲に、後述する偏心ピン１００の切り替え状態を示す切替表示部１４１Ａが設けられている。
【００１８】
［第１ぜんまいおよび第１香箱］
図４、図７に示すように、第１ぜんまい２０は、第１香箱２１に収納されている。第１香箱２１は、第１香箱車２２と、第１香箱真２３とを備えている。第１香箱真２３には、図６にも示すように、第１香箱真２３と一体に回転する第１角穴車２４が取り付けられている。また、第１香箱真２３は、地板１１および輪列受１４に軸支されている。
【００１９】
［第２ぜんまいおよび第２香箱］
図４、図５、図７に示すように、第２ぜんまい３０は、第２香箱３１に収納されている。第２香箱３１は、第２香箱車３２と、第２香箱真３３とを備えている。第２香箱真３３は、第２角穴車３４と一体に回転可能とされている。また、図５に示すように、第２香箱真３３は、地板１１および一番受１２に軸支されている。
【００２０】
図７、図８に示すように、本実施形態では、第２ぜんまい３０は、第１ぜんまい２０によって巻き上げられる。すなわち、第１ぜんまい２０が巻き上げられて第２ぜんまい３０を巻き上げ可能なトルクが蓄積されると、第１香箱２１の第１香箱車２２が回転する。第１香箱車２２は、香箱中間車２７を介して第２香箱３１の第２角穴車３４に噛み合っており、第１香箱車２２が回転すると、第２角穴車３４および第２香箱真３３が回転し、第２ぜんまい３０が巻き上げられる。
【００２１】
したがって、本実施形態の時計１では、後述する手動巻上機構４０および自動巻上機構５０のいずれによっても第１ぜんまい２０および第２ぜんまい３０を巻き上げることができる。
【００２２】
［発電機］
発電機８０は、図４、図７に示すように、ローター８１およびコイルブロック８２、８３を備えて構成される。ローター８１は、ローター磁石８１Ａ、ローターかな８１Ｂ、ローター慣性円板８１Ｃを備えている。ローター慣性円板８１Ｃは、第２香箱車３２からの駆動トルク変動に対しローター８１の回転数変動を少なくする。コイルブロック８２、８３は、各コアにコイルをそれぞれ巻線して構成されたものである。
したがって、発電機８０は、外部からのトルクでローター８１が回転すると、コイルブロック８２、８３によって誘起電力を発生し、電気エネルギーを出力してＩＣ等に供給できる。また、コイルをショートさせることで、ローター８１にブレーキを加えることができ、ブレーキ力を制御することで、ローター８１の回転周期を一定に調速できる。
【００２３】
［輪列］
次に、第１ぜんまい２０および第２ぜんまい３０からの機械的エネルギーによって時針４Ａ、分針４Ｂ、秒針４Ｃを駆動する輪列９０について説明する。
前記輪列９０は、図４、図７、図８に示すように、二番車９２、三番車９３、四番車９４、五番車９５、六番車９６を備えている。第２香箱車３２の回転は、二番車９２へ伝達された後、三番車９３、四番車９４、五番車９５、六番車９６と順次増速され、ローター８１へと伝達される。
二番車９２には図示しない筒かなを介して分針４Ｂが固定され、四番車９４には秒針４Ｃが固定されている。また、筒かなには図示略の日の裏車を介して、図示略の筒車が接続され、この筒車に時針４Ａが固定されている。
【００２４】
このような時計１では、発電機８０からの交流出力は、昇圧整流、全波整流、半波整流、トランジスター整流等からなる整流回路を通して昇圧、整流されて平滑用コンデンサーに充電され、このコンデンサーからの電力で発電機８０の回転周期を制御する図示しない回転制御装置を作動させている。なお、回転制御装置としては、発振回路、分周回路、回転検出回路、回転数比較回路、電磁ブレーキ制御手段等を含む集積回路によって構成され、発振回路には水晶振動子が用いられる。
【００２５】
［手動巻上機構］
手動巻上機構４０は、図７、図８に示すように、りゅうず７が取り付けられた巻真４１と、つづみ車４２と、きち車４３と、丸穴車４４と、角穴第１伝え車４５と、角穴第２伝え車４６と、角穴第３伝え車４７とを備える。角穴第３伝え車４７は、第１角穴車２４に噛み合っている。
このため、ユーザーがりゅうず７を０段位置で回転操作すると、巻真４１およびつづみ車４２が回転する。りゅうず７が０段位置の場合、つづみ車４２はきち車４３に噛み合っており、つづみ車４２の回転は、きち車４３から丸穴車４４、角穴第１伝え車４５、角穴第２伝え車４６、角穴第３伝え車４７に順次伝達される。このため、第１角穴車２４および第１香箱真２３が回転し、第１ぜんまい２０が巻き上げられる。
また、本実施形態では、角穴第１伝え車４５は揺動可能に取り付けられており、りゅうず７を巻き上げ方向とは反対方向に回転させた場合に、角穴第２伝え車４６との噛み合いが外れるように構成されている。具体的には、角穴第１伝え車４５は、りゅうず７を巻き上げ方向とは反対方向に回転させた場合、図４における１２時方向に揺動するように構成されている。これにより、ユーザーが誤ってりゅうず７を巻き上げ方向と反対の方向に回転させても、第１ぜんまい２０が巻き解かれることはない。
なお、手動巻上機構４０は、上記構成に限られるものではなく、例えば、りゅうず７の回動操作によって、第１ぜんまい２０を巻き解き可能に構成されていてもよい。
【００２６】
［自動巻上機構］
図２、図４〜図８に示すように、自動巻上機構５０は、回転錘５１と、ベアリング５２と、偏心車５３と、爪レバー５４と、伝え車５５とを備える。
回転錘５１は、重錘５１１と錘体５１２とを備え、輪列受１４の裏蓋側に設けられている。そして、回転錘５１は平面視において、後述するベアリング５２の回転軸５２１を中心とする半円形状を有している。
ベアリング５２は、回転軸５２１と、外輪５２２と、回転錘カナ５２３とを備える。回転軸５２１は、平面視で、文字板３の平面中心に設けられており、輪列受１４に軸支されている。外輪５２２には、回転錘５１が取り付けられている。これにより、ベアリング５２は、回転錘５１と一体で回動する。
【００２７】
偏心車５３は、図４、図７に示すように、偏心軸部材５３２と、偏心軸部材５３２に取り付けられた偏心歯車５３１とを備えている。偏心軸部材５３２は、地板１１および輪列受１４に軸支されている。また、偏心軸部材５３２は、回転軸から偏心して設けられた偏心軸部を備える。
偏心歯車５３１は、ベアリング５２の回転錘カナ５２３と噛み合っている。これにより、偏心車５３は、回転錘５１に連動して正逆両方向に回動する。
【００２８】
図９は、爪レバー５４の要部を示す平面図である。
図６に示すように、爪レバー５４は、側面視において、回転錘５１と一番受１２との間に配置されている。また、爪レバー５４は、前述した偏心軸部材５３２の偏心軸部に取り付けられており、当該偏心軸部材５３２を介して地板１１および輪列受１４に軸支されている。これにより、爪レバー５４は、偏心軸部材５３２の回転に伴って、伝え車５５に近づく方向および遠ざかる方向に進退運動する。
図９に示すように、爪レバー５４は、偏心車５３の偏心軸部材５３２が挿通される孔を備えた基端部５４１を備える。さらに、爪レバー５４は、当該基端部５４１から延出し、平面視において伝え車５５の第１伝え歯車５５２を挟んで配置される引き爪レバー部５４２および押し爪レバー部５４３の２つの爪レバー部を備える。ここで、平面視において、引き爪レバー部５４２と押し爪レバー部５４３との間隔は、基端部５４１から遠ざかるほど広くなっている。
【００２９】
引き爪レバー部５４２は、延出部５４２１と、湾曲部５４２２と、引き爪５４２３と、突出部５４２４とを備えている。なお、なお、引き爪レバー部５４２は、本開示の他方の爪レバー部の一例である。
延出部５４２１は、基端部５４１から直線上に延出している。湾曲部５４２２は、延出部５４２１に連続し、平面視において後述する第１伝え歯車５５２の外周に沿って湾曲している。引き爪５４２３は、湾曲部５４２２から第１伝え歯車５５２に向かって突出し、第１伝え歯車５５２に係合可能とされている。突出部５４２４は、湾曲部５４２２の先端から突出している。
【００３０】
押し爪レバー部５４３は、第１延出部５４３１と、第２延出部５４３２と、押し爪５４３３と、突出部５４３４とを備えている。なお、押し爪レバー部５４３は、本開示の一方の爪レバー部の一例である。
第１延出部５４３１は、基端部５４１から直線上に延出している。第２延出部５４３２は、第１延出部５４３１に連続し、平面視において引き爪レバー部５４２から離れる方向に延出している。押し爪５４３３は、第２延出部５４３２から第１伝え歯車５５２に向かって突出し、第１伝え歯車５５２に係合可能とされている。突出部５４３４は、第２延出部５４３２の先端から突出している。
【００３１】
図４、図６〜図９に示すように、伝え車５５は、伝え車軸５５１と、第１伝え歯車５５２と、第２伝え歯車５５３とを備えている。
伝え車軸５５１は、地板１１および輪列受１４に軸支されている。第１伝え歯車５５２には、爪レバー５４の引き爪５４２３および押し爪５４３３が係合し、伝え車５５は、爪レバー５４の進退運動に連動して一方向に回転する。そして、第２伝え歯車５５３は、第１角穴車２４に噛み合っている。これにより、第１角穴車２４は、伝え車５５の回転に連動して回転する。第１角穴車２４が回転すると、第１香箱真２３が第１角穴車２４と一体で回転し、第１ぜんまい２０が巻き上げられる。
【００３２】
［偏心ピン］
図１０は、偏心ピン１００の要部を示す断面図である。
図４、図７、図９、図１０に示すように、一番受１２には、押し爪レバー部５４３と伝え車５５との間に偏心ピン１００が設けられている。偏心ピン１００には、軸中心を貫通する軸孔１０１が形成され、一番受１２に対して回動可能に取り付けられている。そして、偏心ピン１００の頭部には、軸孔１０１を挟んで、短溝部１０２と長溝部１０３とが設けられている。これにより、偏心ピン１００は、マイナスドライバー等の工具と係合可能とされている。
【００３３】
ここで、図９、図１０に示すように、偏心ピン１００は、実線で示す状態において、押し爪レバー部５４３の突出部５４３４と接触していない。そして、この状態では、押し爪レバー部５４３の押し爪５４３３は、伝え車５５の第１伝え歯車５５２と係合している。つまり、爪レバー５４と伝え車５５とは係合状態となっている。
【００３４】
この状態から、偏心ピン１００を二点鎖線で示す状態に回動させると、偏心ピン１００は、押し爪レバー部５４３の突出部５４３４に接触する。そうすると、押し爪レバー部５４３は偏心ピン１００に押圧されて、二点鎖線で示すように、伝え車５５から離れるように撓んで移動する。すなわち、押し爪レバー部５４３は、第１伝え歯車５５２から離れる方向に移動する。これにより、押し爪レバー部５４３の押し爪５４３３と、伝え車５５の第１伝え歯車５５２との係合状態が解除される。つまり、爪レバー５４と伝え車５５とは非係合状態である解除状態となっている。
このように、偏心ピン１００は、押し爪レバー部５４３と伝え車５５とを係合状態とする係合位置と、押し爪レバー部５４３と伝え車５５とを解除状態とする解除位置とに回動可能に、つまり、切り替え可能に構成されている。
なお、偏心ピン１００は、本開示の解除機構の一例である。
【００３５】
［ぜんまいの巻き解き方法］
次に、第１ぜんまい２０および第２ぜんまい３０の巻き解き方法について、図３、図９、図１０を参照して説明する。
まず、図３に示す輪列受１４の第１開口１４１からマイナスドライバー等の工具を挿入し、当該工具の先端と偏心ピン１００の短溝部１０２および長溝部１０３とを係合させる。そして、長溝部１０３の先端が切替表示部１４１Ａに対応する位置に移動するように、偏心ピン１００を回動させる。そうすると、前述したように、偏心ピン１００は、図９、図１０の二点鎖線で示す解除位置に移動し、押し爪レバー部５４３の押し爪５４３３と、伝え車５５の第１伝え歯車５５２との係合状態が解除される。
【００３６】
次に、図３に示す、角穴第２伝え車４６のねじ４６Ａに、マイナスドライバー等の工具を係合させて、角穴第２伝え車４６の回動を規制する。
この状態で、図３に示す輪列受１４の第２開口１４２から、先端が丸い操作ピンやピンセット等を挿入する。そうすると、操作ピンの先端が、引き爪レバー部５４２の突出部５４２４に当接する。そして、さらに操作ピンを挿入すると、突出部５４２４は、操作ピンの先端を滑り、平面視において操作ピンに対して押し爪レバー部５４３側とは反対側に撓んで移動する。すなわち、引き爪レバー部５４２は、第１伝え歯車５５２から離れる方向に移動する。これにより、引き爪レバー部５４２の引き爪５４２３と、伝え車５５の第１伝え歯車５５２との係合が解除される。
【００３７】
そして、引き爪レバー部５４２および押し爪レバー部５４３と、伝え車５５との係合が解除された状態で、角穴第２伝え車４６のねじ４６Ａを、巻き上げ方向とは反対方向に回動させることにより、第１ぜんまい２０が巻き解かれる。そうすると、前述したように、第１香箱車２２は、香箱中間車２７を介して第２香箱３１の第２角穴車３４に噛み合っているので、第１ぜんまい２０が巻き解かれてトルクが解放されると、第２角穴車３４および第２香箱真３３が回転して、第２ぜんまい３０が巻き解かれる。これにより、第１ぜんまい２０および第２ぜんまい３０は所定位置まで巻き解かれる。
なお、りゅうず７の回動操作によって、第１ぜんまい２０を巻き解き可能に構成されている場合は、角穴第２伝え車４６のねじ４６Ａの操作に変えて、りゅうず７を操作することで第１ぜんまい２０および第２ぜんまい３０を巻き解いてもよい。
【００３８】
［第１実施形態の作用効果］
このような本実施形態によれば、以下の効果を得ることができる。
本実施形態では、時計１は、一番受１２に設けられ、爪レバー５４と伝え車５５とが係合する係合状態と、爪レバー５４と伝え車５５とが係合しない解除状態とを切り替え可能な偏心ピン１００を備える。
爪レバー５４は、平面視において伝え車５５を挟んで配置される引き爪レバー部５４２および押し爪レバー部５４３を備え、偏心ピン１００は、押し爪レバー部５４３と伝え車５５との間に配置される。そして、偏心ピン１００は、押し爪レバー部５４３と伝え車５５とを係合状態に切り替える係合位置と、解除状態に切り替える解除位置とに回動可能に構成されている。さらに、輪列受１４には、平面視で引き爪レバー部５４２と重なる位置に第２開口１４２が設けられている。
これにより、偏心ピン１００を回動させて押し爪レバー部５４３と伝え車５５との係合を解除させる。そして、この状態で第２開口１４２に操作ピンを挿入して引き爪レバー部５４２を解除状態にさせながら、角穴第２伝え車４６のねじ４６Ａをマイナスドライバー等の工具で操作すれば、第１ぜんまい２０および第２ぜんまい３０を巻き解く操作ができる。すなわち、第１ぜんまい２０および第２ぜんまい３０を巻き解く際に、押し爪レバー部５４３は偏心ピン１００により解除状態にできる。そのため、作業者は、第２開口１４２に操作ピンを挿入する操作と、角穴第２伝え車４６のねじ４６Ａの操作との２つの操作を同時に行えば良い。したがって、ぜんまいを巻き解く際に、爪レバーの一方の側の係合を解除する操作と、爪レバーの他方の側の係合を解除する操作と、ぜんまいを巻き解く操作との３つの操作を同時に行う必要がある場合に比べて、作業性を改善することができる。
また、本実施形態では、輪列受１４を取り外すことなく、爪レバー５４と伝え車５５との係合状態を解除できるので、例えば、輪列受１４を取り外し、自動巻上機構５０を分解して、爪レバー５４と伝え車５５との係合状態を解除する場合に比べて、作業を簡略化することができる。
【００３９】
本実施形態では、爪レバー５４および伝え車５５は、地板１１および輪列受１４に軸支されている。すなわち、爪レバー５４および伝え車５５が同じ部材に軸支されるので、爪レバー５４と伝え車５５とを係合させる際の位置の精度を高くすることができる。
また、爪レバー５４および伝え車５５を輪列受１４によって軸支しているので、これらの部材を軸支するための部材を別途設ける必要がない。そのため、時計１の回転軸５２１の軸方向の厚さを薄くすることができる。
【００４０】
本実施形態では、輪列受１４には、偏心ピン１００による切り替え状態を示す切替表示部１４１Ａが設けられている。本実施形態では、長溝部１０３の先端が切替表示部１４１Ａに対応する位置にあるときは解除状態であることを示し、短溝部１０２の先端が切替表示部１４１Ａに対応する位置にあるときは係合状態であることを示している。
そのため、輪列受１４が取り付けられていて、爪レバー５４および伝え車５５が裏蓋側から直視できない状態でも、作業者は偏心ピン１００の解除位置を容易に把握することができる。
【００４１】
本実施形態では、偏心ピン１００は、解除位置において押し爪レバー部５４３の突出部５４３４に接触する。
これにより、例えば、偏心ピン１００が押し爪レバー部５４３の第１延出部５４３１に接触する場合に比べて、押し爪レバー部５４３を伝え車５５から離れるように撓ませやすくすることができる。そのため、爪レバー５４と伝え車５５との係合状態をより確実に解除することができる。
【００４２】
本実施形態では、偏心ピン１００は、一番受１２に設けられている。
これにより、輪列受１４を外した状態で、偏心ピン１００、爪レバー５４、および伝え車５５を取り付けることができ、そのため、これらの位置精度を高くできる。そのため、偏心ピン１００により、爪レバー５４および伝え車５５の係合状態および解除状態を確実に切り替えることができる。
【００４３】
［第２実施形態］
次に、第２実施形態を図１１に基づいて説明する。
第２実施形態では、偏心ピン１００Ａが、押し爪レバー部５４３Ａと引き爪レバー部５４２Ａとの間に配置される点で前述した第１実施形態と異なる。
なお、第１実施形態の時計１と同じ構成については、同じ符号を付けて説明は省略する。
【００４４】
図１１は、第２実施形態の爪レバー５４Ａの要部を示す平面図である。
図１１に示すように、本実施形態では、引き爪レバー部５４２Ａは、延出部５４２１Ａと、湾曲部５４２２Ａと、引き爪５４２３Ａと、突出部５４２４Ａとを備える。
そして、突出部５４２４Ａは、第１伝え歯車５５２の外周に沿って湾曲し、伝え車５５を挟んで、基端部５４１Ａと反対側の位置まで延出している。
【００４５】
また、押し爪レバー部５４３Ａは、第１延出部５４３１Ａと、第２延出部５４３２Ａと、押し爪５４３３Ａと、突出部５４３４Ａとを備える。
そして、突出部５４３４Ａは、第１伝え歯車５５２の外周に沿って湾曲し、伝え車５５を挟んで、基端部５４１Ａと反対側の位置まで延出している。
【００４６】
偏心ピン１００Ａは、引き爪レバー部５４２Ａの突出部５４２４Ａと、押し爪レバー部５４３Ａの突出部５４３４Ａとの間に配置されている。すなわち、偏心ピン１００Ａは、一方の爪レバー部と他方の爪レバー部との間に配置される。そして、偏心ピン１００Ａは、楕円形状の頭部を有しており、実線で示す係合位置において、楕円の短軸が引き爪レバー部５４２Ａおよび押し爪レバー部５４３Ａに接触していない。一方、二点鎖線で示す解除位置において、楕円の長軸が引き爪レバー部５４２Ａの突出部５４２４Ａおよび押し爪レバー部５４３Ａの突出部５４３４Ａに接触する。また、第１実施形態と同様に、輪列受１４は偏心ピン１００Ａと平面視で重なる位置に開口を備えており、その開口から挿入されたマイナスドライバーによって、偏心ピン１００Ａは、係合位置と解除位置とに回動される。係合位置から解除位置に回動されると、引き爪レバー部５４２Ａおよび押し爪レバー部５４３Ａは、偏心ピン１００Ａに押圧されて、二点鎖線で示すように、伝え車５５から離れるように撓んで移動する。これにより、引き爪レバー部５４２Ａおよび押し爪レバー部５４３Ａと、伝え車５５との係合状態が解除される。
すなわち、偏心ピン１００Ａは、引き爪レバー部５４２Ａおよび押し爪レバー部５４３Ａと、伝え車５５とを係合状態に切り替える係合位置と、解除状態に切り替える解除位置とに回動可能に構成されている。
【００４７】
［第２実施形態の作用効果］
このような本実施形態によれば、以下の効果を得ることができる。
本実施形態では、偏心ピン１００Ａは、引き爪レバー部５４２Ａおよび押し爪レバー部５４３Ａと、伝え車５５とを係合状態に切り替える係合位置と、解除状態に切り替える解除位置とに回動可能に構成されている。
これにより、角穴第２伝え車４６の回転を規制した状態で偏心ピン１００Ａを回動させて、引き爪レバー部５４２Ａおよび押し爪レバー部５４３Ａと、伝え車５５との係合を解除する。そして、この状態でねじ４６Ａをマイナスドライバー等の工具で操作すれば、第１ぜんまい２０および第２ぜんまい３０を巻き解く操作ができる。すなわち、引き爪レバー部５４２Ａおよび押し爪レバー部５４３Ａの係合を同時に解除できるので、引き爪レバー部５４２Ａと押し爪レバー部５４３Ａとを別々の操作で解除する場合に比べて、ぜんまいを巻き解く際の作業性をさらに改善することができる。
【００４８】
［第３実施形態］
次に、第３実施形態を図１２に基づいて説明する。
第３実施形態では、偏心ピン１００Ｂが、輪列受１４に設けられる点で前述した第１、第２実施形態と異なる。
なお、第１実施形態の時計１と同じ構成については、同じ符号を付けて説明は省略する。
【００４９】
図１２は、偏心ピン１００Ｂの要部を示す断面図である。
図１２に示すように、本実施形態では、偏心ピン１００Ｂは輪列受１４に設けられている。偏心ピン１００Ｂは、軸部１０１Ｂと、頭部１０２Ｂと、偏心部１０３Ｂとを備え、これらは一体で構成されている。平面視において、偏心部１０３Ｂは円盤状であり、偏心部１０３Ｂの中心位置は軸部１０１Ｂの軸中心と異なる。つまり、偏心部１０３Ｂは、軸部１０１Ｂに対して偏心している。また、頭部１０２Ｂが輪列受１４の裏蓋側に設けられ、偏心部１０３Ｂが輪列受１４と一番受１２との間で、且つ押し爪レバー部５４３の突出部５４３４と接触可能な位置に設けられる。そして、偏心ピン１００Ｂの偏心部１０３Ｂは、図１２の実線で示す係合位置において、押し爪レバー部５４３の突出部５４３４に接触していない。一方、偏心ピン１００Ｂの偏心部１０３Ｂは、図１２の二点鎖線で示す解除位置において、突出部５４３４に接触する。これにより、押し爪レバー部５４３と、伝え車５５との係合状態が解除される。
すなわち、偏心ピン１００Ｂは、頭部１０２Ｂが操作されることによって、押し爪レバー部５４３と伝え車５５とを係合状態に切り替える係合位置と、解除状態に切り替える解除位置とに回動可能に構成されている。
なお、前述した第１実施形態と同様に、輪列受１４には、偏心ピン１００Ｂの切り替え状態を示す切替表示部１４１Ｂが設けられている。また、偏心ピン１００Ｂの頭部１０２Ｂには、印１０４Ｂが表示されている。これにより、作業者は、印１０４Ｂが切替表示部１４１Ｂに対応する位置に移動するように偏心ピン１００Ｂを回動させれば、偏心ピン１００Ｂは解除位置に移動するので、偏心ピン１００Ｂによる係合状態と解除状態との切り替えを容易にできる。
【００５０】
［第３実施形態の作用効果］
このような本実施形態によれば、以下の効果を得ることができる。
本実施形態では、押し爪レバー部５４３と伝え車５５とを係合状態に切り替える係合位置と、解除状態に切り替える解除位置とに回動可能な偏心ピン１００Ｂが輪列受１４に設けられる。
これにより、前述した第１実施形態と同様に、第１ぜんまい２０および第２ぜんまい３０を巻き解く際の作業性を改善することができる。さらに、偏心ピン１００Ｂは、輪列受１４に設けられるので、例えば、一番受１２が設けられていない第１ぜんまい２０の裏蓋側に偏心ピン１００Ｂを配置することができる。つまり、一番受１２に偏心ピン１００Ｂを設ける場合に比べて、偏心ピン１００Ｂの配置の自由度を高くすることができる。
【００５１】
［変形例］
なお、本開示は前述の各実施形態に限定されるものではなく、本開示の目的を達成できる範囲での変形、改良等は本開示に含まれるものである。
前記第１、第３実施形態では、偏心ピン１００，１００Ｂは、解除位置において押し爪レバー部５４３に接触するように配置されていたが、これに限定されない。例えば、偏心ピン１００，１００Ｂは、解除位置において引き爪レバー部５４２に接触するように配置されていてもよい。
また、押し爪レバー部５４３と接触する偏心ピンと、引き爪レバー部５４２に接触する偏心ピンとの２つの偏心ピンが設けられていてもよい。
例えば、押し爪レバー部５４３に接触する偏心ピン１００と、引き爪レバー部５４２に接触する偏心ピン１００とを一番受１２に設けてもよい。つまり、第１実施形態に示す偏心ピン１００を２つ設けてもよい。この場合、輪列受１４には、それぞれの偏心ピン１００に平面視で重なる位置に開口を設ける。
また、例えば、押し爪レバー部５４３に接触する偏心ピン１００Ｂと、引き爪レバー部５４２に接触する偏心ピン１００Ｂとを輪列受１４に設けてもよい。つまり、第３実施形態に示す偏心ピン１００Ｂを２つ設けてもよい。
さらに、例えば、押し爪レバー部５４３に接触する偏心ピン１００を一番受１２に設け、引き爪レバー部５４２に接触する偏心ピン１００Ｂを輪列受１４に設けてもよい。つまり、第１実施形態に示す偏心ピン１００と、第３実施形態に示す偏心ピン１００Ｂとを設けてもよい。この場合、引き爪レバー部５４２に接触する偏心ピン１００を一番受１２に設け、押し爪レバー部５４３に接触する偏心ピン１００Ｂを輪列受１４に設けてもよい。
【００５２】
前記第３実施形態では、偏心ピン１００Ｂが、軸部１０１Ｂと、頭部１０２Ｂと、偏心部１０３Ｂとを備える構造としたが、これに限定されない。例えば、偏心ピンは、頭部１０２Ｂの中心位置と軸部１０１Ｂの軸中心と異なるように構成する、すなわち、頭部１０２Ｂを軸部１０１Ｂに対して偏心させた構造としてもよい。この場合、偏心部１０３Ｂは設けず、押し爪レバー部５４３または引き爪レバー部５４２と頭部１０２Ｂとが接触するような構造とする。具体的には、押し爪レバー部５４３の突出部５４３４の先端部を折り曲げるなどして裏蓋方向に突出させる。そして、輪列受１４に、突出部５４３４の先端部と係合しないように開口を設ける。そして、開口から突出した先端部と頭部１０２Ｂとが、係合状態において接触せず、解除状態において接触するように構成することで、押し爪レバー部５４３と伝え車５５との係合状態を切り替える。なお、引き爪レバー部５４２と頭部１０２Ｂとを接触させる場合も、同様の構造とする。
また、前述したように、押し爪レバー部５４３に接触する偏心ピン１００を一番受１２に設け、引き爪レバー部５４２に接触する偏心ピン１００を輪列受１４に設ける場合において、輪列受１４に設ける偏心ピンは、頭部１０２Ｂを軸部１０１Ｂに対して偏心させた構造としてもよい。
【００５３】
前記第１、３実施形態では、偏心ピン１００，１００Ｂは、解除位置において押し爪レバー部５４３の突出部５４３４に接触するように構成されていたが、これに限定されない。例えば、偏心ピン１００，１００Ｂは、押し爪レバー部５４３の第１延出部５４３１に接触可能に構成されていてもよい。さらに、偏心ピン１００，１００Ｂは、引き爪レバー部５４２の延出部５４２１に接触可能に構成されていてもよい。
【００５４】
前記第１、第３実施形態では、第２開口１４２は、平面視において、一部が引き爪レバー部５４２の突出部５４２４に重なる位置に設けられていたが、これに限定されない。例えば、第２開口１４２は、平面視において、一部が引き爪レバー部５４２の延出部５４２１に重なる位置に設けられていても良い。また、偏心ピン１００，１００Ｂが引き爪レバー部５４２と接触可能に構成されている場合、第２開口１４２は、平面視において、一部が押し爪レバー部５４３に重なる位置に設けられていてもよい。
【００５５】
前記第１、第２実施形態では、爪レバー５４および伝え車５５は地板１１および輪列受１４に軸支されていたが、これに限定されない。例えば、爪レバー５４および伝え車５５は、地板１１および一番受１２に軸支されていてもよい。この場合、爪レバー５４および伝え車５５の回転軸を一番受１２の輪列受１４側にまで突出させ、当該突出部分に爪レバー５４および伝え車５５を配置するようにしてもよい。
これにより、爪レバー５４に接触する偏心ピン１００，１００Ｂおよび伝え車５５は、一番受１２の同一面上に設けられるので、これらの位置の精度を高くできる。そのため、偏心ピン１００，１００Ｂにより、爪レバー５４および伝え車５５の係合状態および解除状態を確実に切り替えることができる。
【００５６】
前記各実施形態では、時計１は、第１ぜんまい２０および第２ぜんまい３０の２つのぜんまいを備えていたが、これに限定されず、１つのぜんまいを備える時計であってもよい。また、時計１は、発電機８０および輪列９０を備える電子制御式機械時計に限らず、ガンギ、アンクルなどの一般的な調速機構を備える機械時計であってもよい。
【符号の説明】
【００５７】
１…時計、２…外装ケース、３…文字板、３Ａ…カレンダー小窓、３Ｂ…アワーマーク、３Ｃ…サブダイヤル、４Ａ…時針、４Ｂ…分針、４Ｃ…秒針、５…パワーリザーブ針、６…日車、７…りゅうず、１０…ムーブメント、１１…地板、１２…一番受（押さえ板）、１３…二番受、１４…輪列受、２１…第１香箱、２２…第１香箱車、２３…第１香箱真、２４…第１角穴車、２７…香箱中間車、３１…第２香箱、３２…第２香箱車、３３…第２香箱真、３４…第２角穴車、４０…手動巻上機構、４１…巻真、４２…つづみ車、４３…きち車、４４…丸穴車、４５…角穴第１伝え車、４６…角穴第２伝え車、４６Ａ…ねじ、４７…角穴第３伝え車、５０…自動巻上機構、５１…回転錘、５２…ベアリング、５３…偏心車、５４…爪レバー、５５…伝え車、８０…発電機、８１…ローター、８１Ａ…ローター磁石、８１Ｂ…ローターかな、８１Ｃ…ローター慣性円板、８２、８３…コイルブロック、９０…輪列、９２…二番車、９３…三番車、９４…四番車、９５…五番車、９６…六番車、１００，１００Ａ，１００Ｂ…偏心ピン（解除機構）、１０１…軸孔、１０２…短溝部、１０３…長溝部、１０１Ｂ…軸部、１０２Ｂ…頭部、１０３Ｂ…偏心部、１０４Ｂ…印、１４１…第１開口、１４１Ａ，１４１Ｂ…切替表示部、１４２…第２開口、５１１…重錘、５１２…錘体、５２１…回転軸、５２２外輪、５２３…回転錘カナ、５３１…偏心歯車、５３２…偏心軸部材、５４１，５４１Ａ…基端部、５４２，５４２Ａ…引き爪レバー部、５４３，５４３Ａ…押し爪レバー部、５５１…伝え車軸、５５２…第１伝え歯車、５５３…第２伝え歯車、５４２１，５４２１Ａ…延出部、５４２２，５４２２Ａ…湾曲部、５４２３，５４２３Ａ…引き爪、５４２４，５４２４Ａ…突出部、５４３１，５４３１Ａ…第１延出部、５４３２，５４３２Ａ…第２延出部、５４３３，５４３３Ａ…押し爪、５４３４，５４３４Ａ…突出部。
【図１】
2020139766.tif 000003
【図２】
2020139766.tif 000004
【図３】
2020139766.tif 000005
【図４】
2020139766.tif 000006
【図５】
2020139766.tif 000007
【図６】
2020139766.tif 000008
【図７】
2020139766.tif 000009
【図８】
2020139766.tif 000010
【図９】
2020139766.tif 000011
【図１０】
2020139766.tif 000012
【図１１】
2020139766.tif 000013
【図１２】
2020139766.tif 000014